(57)【特許請求の範囲】
【請求項１】
アイリスを有する撮影レンズと、カメラ本体と、前記撮影レンズと前記カメラ本体との間に着脱自在に装着され、前記撮影レンズのピント状態を検出して、前記撮影レンズをオートフォーカス制御するオートフォーカスアダプタとを備えたカメラシステムであって、
前記オートフォーカスアダプタは、
前記撮影レンズを通過した被写体光を映像用被写体光とピント状態検出用被写体光とに分割する光分割手段と、
前記光分割手段によって分割され、所定の第１結像面に結像した映像用被写体光を前記カメラ本体の映像用撮像素子の受光面（第２受光面）に結像させるリレー光学系と、
前記光分割手段によって分割されたピント状態検出用被写体光が入射されるピント状態検出用撮像素子と、
前記ピント状態検出用撮像素子で撮像された画像に基づいて前記撮影レンズのピント状態を検出するピント状態検出手段と、
前記ピント状態検出手段で検出されたピント状態に基づいて前記撮影レンズをオートフォーカス制御する制御手段と、
前記光分割手段及び前記第１結像面の後段位置に配置された第２アイリスとを備え、
前記オートフォーカスアダプタが前記撮影レンズに装着されると、前記第２アイリスが絞りとして作用し、前記撮影レンズに設置されたアイリスが開放状態となってその機能を停止することを特徴とするカメラシステム。
【請求項２】
一対のピント状態検出用撮像素子を前記所定の第１結像面に共役な位置に対して前後等距離の位置に配置し、前記ピント状態検出手段は、前記一対のピント状態検出用撮像素子で撮像された画像に基づいて前記撮影レンズのピント状態を検出することを特徴とする請求項１に記載のカメラシステム。
【請求項３】
前記光分割手段は、前記撮影レンズを通過した被写体光から前記ピント状態検出用被写体光を分離して前記一対のピント状態検出用撮像素子に同じ光量ずつ入射させることを特徴とする請求項１又は２に記載のカメラシステム。
【発明の詳細な説明】
【０００１】
【発明の属する技術分野】
本発明はオートフォーカスアダプタに係り、特に撮影レンズのオートフォーカス制御における合焦検出に適用可能なオートフォーカスアダプタに関する。
【０００２】
【従来の技術】
家庭用ビデオカメラなどのオートフォーカスの方式はコントラスト方式によるものが一般的である。このコントラスト方式は、撮像素子から得られた映像信号（輝度信号）のうちある範囲（フォーカスエリア）内の映像信号の高域周波数成分を積算して焦点評価値とし、その焦点評価値が最大となるようにピント調整を自動で行うものである。これによって、撮像素子で撮像された画像の鮮鋭度（コントラスト）が最大となる最良ピント（合焦）が得られる。
【０００３】
しかしながら、このコントラスト方式は、フォーカスレンズを動かしながら最良ピントを探す、いわゆる山登り方式であるため、合焦に対する反応速度が遅いという欠点がある。
【０００４】
そこで、このようなコントラスト方式の欠点を解消するために、光路長の異なる複数の撮像素子を用いて撮影レンズのピント状態（前ピン、後ピン、合焦）を検出する方法が提案されている（特願２００１−１６８２４６号、特願２００１−１６８２４７号、特願２００１−１６８２４８号、特願２００１−１６８２４９号等）。この検出方法は、映像用の画像を撮像する撮像素子と共役な位置と、その前後等距離の位置にそれぞれピント状態検出用の撮像素子を配設し、各ピント状態検出用の撮像素子から得られる映像信号から焦点評価値を求めて、その大小関係を比較することにより、映像用の撮像素子の受光面におけるピント状態を検出するものである。
【０００５】
この検出方法によれば、合焦か否かを判断できるだけでなく、前ピンか後ピンかも判断できるため、合焦に対する反応速度も速いという利点がある。
【０００６】
【発明が解決しようとする課題】
ところで、近年ではハイビジョン放送が一般化するにつれてテレビカメラシステムで使用される撮影レンズ、カメラの性能が非常に高くなっている。
【０００７】
一方、実際の番組製作現場では、カメラマンがビューファインダの像を参考に肉眼でピント調整を行っており、ビューファインダや肉眼での解像力には限界があるため、最良ピントを探すのが困難になっている。撮影時に合焦していると判断した場合であっても、大型モニターで再生した際にピンボケが発覚することも少なくない。このような事情から肉眼では困難な正確かつ確実な合焦検出を行うことができるオートフォーカスの必要性が高まっている。
【０００８】
しかしながら、従来の放送用カメラには、一般にオートフォーカス機能は内蔵されておらず、また、必ずしも全てのカメラマンがオートフォーカス機能を使用するとも限らないため、今後、全てのカメラにオートフォーカス機能を搭載することは現実的ではない。したがって、既に市販されているカメラシステムや、今後市販されるカメラシステムにおいてオートフォーカスを使用したくても使用できないというケースがこれまで以上に増えるものと予想される。
【０００９】
本発明はこのような事情に鑑みてなされたもので、既存のカメラシステムに簡単に組み込むことができ、簡単にオートフォーカス機能を追加することができるオートフォーカスアダプタを提供することを目的する。
【００１０】
【課題を解決するための手段】
本発明は前記目的を達成するために、アイリスを有する撮影レンズと、カメラ本体と、前記撮影レンズと前記カメラ本体との間に着脱自在に装着され、前記撮影レンズのピント状態を検出して、前記撮影レンズをオートフォーカス制御するオートフォーカスアダプタとを備えたカメラシステムであって、前記オートフォーカスアダプタは、前記撮影レンズを通過した被写体光を映像用被写体光とピント状態検出用被写体光とに分割する光分割手段と、前記光分割手段によって分割され、所定の第１結像面に結像した映像用被写体光を前記カメラ本体の映像用撮像素子の受光面（第２受光面）に結像させるリレー光学系と、前記光分割手段によって分割されたピント状態検出用被写体光が入射されるピント状態検出用撮像素子と、前記ピント状態検出用撮像素子で撮像された画像に基づいて前記撮影レンズのピント状態を検出するピント状態検出手段と、前記ピント状態検出手段で検出されたピント状態に基づいて前記撮影レンズをオートフォーカス制御する制御手段と、前記光分割手段及び前記第１結像面の後段位置に配置された第２アイリスとを備え、前記オートフォーカスアダプタが前記撮影レンズに装着されると、前記第２アイリスが絞りとして作用し、前記撮影レンズに設置されたアイリスが開放状態となってその機能を停止することを特徴とするカメラシステムを提供する。
【００１２】
また、本発明は、上記オートフォーカスアダプタにおいて、一対のピント状態検出用撮像素子を前記所定の第１結像面に共役な位置に対して前後等距離の位置に配置し、前記ピント状態検出手段は、前記一対のピント状態検出用撮像素子で撮像された画像に基づいて前記撮影レンズのピント状態を検出することを特徴とする。
【００１３】
また、本発明は、上記オートフォーカスアダプタにおいて、前記光分割手段は、前記撮影レンズを通過した被写体光から前記ピント状態検出用被写体光を分離して前記一対のピント状態検出用撮像素子に同じ光量ずつ入射させることを特徴とする。
【００１４】
本発明によれば、既存のオートフォーカス機能がないカメラシステムであっても、本発明に係るオートフォーカスアダプタを撮影レンズとカメラ本体との間に装着するだけで、オートフォーカス機能を追加することができる。この際、本発明に係るオートフォーカスアダプタにはリレー光学系が備えられているので、撮影レンズとカメラ本体との間に装着しても焦点位置のズレを起こすことはなく、非装着時と同じように撮影することができる。
【００１５】
【発明の実施の形態】
以下、添付図面に従って本発明に係る撮影レンズのオートフォーカスアダプタの好ましい実施の形態について詳説する。
【００１６】
図１（ａ）〜（ｃ）は、本発明に係るオートフォーカスアダプタ（以下「ＡＦアダプタ」という）が組み込まれたテレビカメラシステムの構成図である。
【００１７】
同図に示すように、このテレビカメラシステム１０は、カメラ本体１２、撮影レンズ１４、ＡＦアダプタ１６で構成され、オートフォーカス機能（以下「ＡＦ機能」という）を提供するＡＦアダプタ１６は、撮影者が任意に装着できるようにされている。すなわち、ＡＦ機能が不要な場合は、図１（ｂ）に示すように、撮影レンズ１４をカメラ本体１２に直接装着して使用し、ＡＦ機能が必要な場合にのみ、図１（ｃ）に示すように、カメラ本体１２と撮影レンズ１４との間に装着する。
【００１８】
なお、撮影レンズ１４は、その後端部にレンズ側マウント１８が設けられており、このレンズ側マウント１８をカメラ本体１２の先端面に設けられたカメラ側マウント２０に取り付けることにより、カメラ本体１２に装着される。
【００１９】
また、ＡＦアダプタ１６は、その後端部にレンズ側マウント１８と同一構成の後側マウント２２が設けられており、この後側マウント２２をカメラ本体１２のカメラ側マウント２０に取り付けることによりカメラ本体１２に装着できる。同様にＡＦアダプタ１６の先端部には、カメラ側マウント２０と同一構成の前側マウント２４が設けられており、この前側マウント２４に撮影レンズ１４のレンズ側マウント１８を取り付けることにより、撮影レンズ１８をＡＦアダプタ１６に装着できる。
【００２０】
カメラ本体と撮影レンズ１４の間に装着されたＡＦアダプタ１６は、撮影レンズ１４に取り付けられたドライブユニット２６にケーブル（不図示）を介して電気的に接続される。このドライブユニット２６は、撮影レンズ１４に設けられたフォーカスレンズ、ズームレンズ、アイリス等を駆動するユニットであり、ＡＦアダプタ１６は、このドライブユニット２６に制御信号を与えて被写体にピントが合うようにオートフォーカス制御（以下「ＡＦ制御」という）を行う。
【００２１】
図２は図１に示したテレビカメラシステム１０における光学系の構成図である。なお、同図において各レンズの構成は簡略化して示されており、複数のレンズからなるレンズ群を１つのレンズで示したものもある。
【００２２】
図２に示すように、撮影レンズ１４のレンズ鏡筒３０内には、前側からフォーカスレンズ３２、ズームレンズ３４、アイリス３６、リレーレンズ３８等が配置されている。撮影レンズ１４の先端から入射した被写体光は、これらの各レンズを通過して、撮影レンズ１４の後端から出射される。
【００２３】
ＡＦアダプタ１６のケース４０内には、撮影レンズ１４の光軸Ｏ上に、ビームスプリッタ４２、第１リレーレンズ４４、第２アイリス４６、第２リレーレンズ４８が配置されている。撮影レンズ１４の後端から出射した被写体光は、後述するようにビームスプリッタ４２によって２つのピント状態検出用被写体光と１つの映像用被写体光とに分割される。そして、映像用被写体光は、撮影レンズ１４の光軸Ｏに沿って進行し、第１リレーレンズ４４、第２アイリス４６、第２リレーレンズ４８を通過して、ＡＦアダプタ１６の後端から出射される。一方、２つのピント状態検出用被写体光は、それぞれ第１ピント状態検出用撮像素子５０Ａと第２ピント状態検出用撮像素子５０Ｂとに入射される。
【００２４】
なお、このＡＦアダプタ１６が装着されると、ＡＦアダプタ１６に設置された第２アイリス４６が絞りとして作用し、撮影レンズ１４に設置されたアイリス３６は開放状態となって機能が停止する。第２アイリス４６は、図示しないアイリスモータに駆動されて作動し、カメラ本体１２から与えられる制御信号又はマニュアルによる操作情報に基づいて制御される。
【００２５】
カメラ本体１２内には、撮影レンズ１４の光軸Ｏ上に色分解プリズム５２が配置されており、ＡＦアダプタ１６の後端から出射した映像用被写体光は、この色分解プリズム５２によってＲ（赤）、Ｇ（緑）、Ｂ（青）の各色成分に分解される。そして、各色成分に分解された被写体光は、それぞれ映像用撮像素子５４Ｒ、５４Ｇ、５４Ｂの受光面に入射され、この映像用撮像素子５４Ｒ、５４Ｇ、５４Ｂで電気信号に変換されたのち、周知の画像信号処理手段によって信号処理されて所定形式の映像信号として出力又は記録媒体に記録される。
【００２６】
図３はＡＦアダプタの内部構造を示すブロック図である。同図に示すように、ビームスプリッタ４２は３つのプリズム５６、５８、６０で構成されており、前記色分解プリズム５２と同じ形状で形成されている。
【００２７】
撮影レンズ１４の後端から出射された被写体光は、まず、第１プリズム５６に入射され、この第１プリズム５６のハーフミラー面５６Ａで反射光と透過光とに分割される。このうち反射光は第１のピント状態検出用被写体光として第１ピント状態検出用撮像素子５０Ａに入射され、透過光は第２プリズム５８に入射される。
【００２８】
第２プリズム５８に入射した透過光は、その第２プリズム５８のハーフミラー面５８Ａで更に反射光と透過光とに分割される。このうち反射光は第２のピント状態検出用被写体光として第２ピント状態検出用撮像素子５０Ｂに入射され、透過光は第３プリズム６０に入射される。そして、この第３プリズム６０に入射した透過光が映像用被写体光として第１リレーレンズ４４に入射される。
【００２９】
以上のように、ビームスプリッタ４２は、撮影レンズ１４を通過した被写体光を２つのピント状態検出用被写体光と１つの映像用被写体光とに分割する。この際、ビームスプリッタ４２は、第１ピント状態検出用撮像素子５０Ａに入射されるピント状態検出用被写体光と、第２ピント状態検出用撮像素子５０Ｂに入射されるピント状態検出用被写体光の光量が等しくなるように被写体光を分割し、また、ピント状態検出用被写体光の光量よりも映像用被写体光の光量が多くなるように分割する。ここでは、映像用被写体光とピント状態検出用被写体光を２対１の割合で分割するものとする。この場合、第１ピント状態検出用撮像素子５０Ａと第２ピント状態検出用撮像素子５０Ｂには、それぞれ撮影レンズ１４を通過した被写体光の全光量の６分の１が入射され、残り３分の２が映像用被写体光としてカメラ本体１２の映像用撮像素子５４Ｒ、５４Ｇ、５４Ｂに入射される。
【００３０】
なお、第１ピント状態検出用撮像素子５０Ａと第２ピント状態検出用撮像素子５０Ｂは、共にカラー映像を撮像するものである必要はなく、本実施の形態では白黒画像を撮像するＣＣＤであるものとする。
【００３１】
ところで、図２に示すように、ビームスプリッタ４２を通過した映像用被写体光は、合焦状態において撮影レンズ１４の後端から所定距離離れた第１結像面Ｐ１上で一度被写体の像を結ぶ。第１リレーレンズ４４及び第２リレーレンズ４８からなるリレー光学系は、この映像用被写体光を集光し、ＡＦアダプタ１６の後端から同じ距離離れた第２結像面Ｐ2 の受光面上に同じ被写体像を結ばせる。映像用撮像素子５４Ｇの受光面は、この第２結像面Ｐ2 上に設置されており、これにより、映像用撮像素子５４Ｒ、５４Ｇ、５４Ｂの受光面上に第１結像面Ｐ１上に結像される被写体像と同じ被写体像が結像される。すなわち、第１結像面Ｐ１と映像用撮像素子５４Ｒ、５４Ｇ、５４Ｂの受光面（第２結像面Ｐ2 ）は共役であり、映像用撮像素子５４Ｒ、５４Ｇ、５４Ｂの受光面（第２結像面Ｐ2 ）上には、ＡＦアダプタ１６を装着していても、装着していなくても同じ被写体像が結像される。
【００３２】
図４は、第１結像面Ｐ１の被写体光の光軸と、第１ピント状態検出用撮像素子５０Ａ及び第２ピント状態検出用撮像素子５０Ｂの受光面に入射する被写体光の光軸を同一直線上に示したものである。
【００３３】
同図に示すように、第１ピント状態検出用撮像素子５０Ａに入射する被写体光の光路長は、第２ピント状態検出用撮像素子５０Ｂに入射する被写体光の光路長よりも短く設定され、第１結像面に入射する被写体光の光路長は、その中間の長さとなるように設定されている。すなわち、第１ピント状態検出用撮像素子５０Ａと第２ピント状態検出用撮像素子５０Ｂは、それぞれ第１結像面Ｐ１に対して前後等距離の位置に配置されている。
【００３４】
ここで、上述したように第１結像面Ｐ１と映像用撮像素子５４Ｒ、５４Ｇ、５４Ｂの受光面（第２結像面Ｐ2 ）は共役であり、共に同じ被写体像が結像される。したがって、第１ピント状態検出用撮像素子５０Ａと第２ピント状態検出用撮像素子５０Ｂは、それぞれ映像用撮像素子５４Ｒ、５４Ｇ、５４Ｂの受光面に対して前後等距離の位置で被写体像を撮像することと同じになる。
【００３５】
第１ピント状態検出用撮像素子５０Ａと第２ピント状態検出用撮像素子５０Ｂで撮像された画像は信号処理部６２に出力され、信号処理部６２は、後述するように、この第１ピント状態検出用撮像素子５０Ａと第２ピント状態検出用撮像素子５０Ｂから取得した映像信号に基づいて撮影レンズ１４のピント状態を検出する。そして、その検出結果に基づいてドライブユニット２６にフォーカスモータの駆動信号を与え、被写体にピントが合うようにＡＦ制御を行う。
【００３６】
図５は、信号処理部６２の構成を示すブロック図である。同図に示すように、第１ピント状態検出用撮像素子５０Ａと第２ピント状態検出用撮像素子５０Ｂで撮像された被写体の画像は、それぞれ所定形式のビデオ信号として信号処理部６２に出力される。信号処理部６２は、各ピント状態検出用撮像素子５０Ａ、５０Ｂから出力されたビデオ信号をハイパスフィルタ７０Ａ、７０Ｂ、Ａ／Ｄ変換器７２Ａ、７２Ｂ、ゲート回路７４Ａ、７４Ｂ、加算器７６Ａ、７６Ｂによって画像の鮮鋭度（コントラスト）を示す焦点評価値の信号に変換し、ＣＰＵ８０に入力する。
【００３７】
ここで、焦点評価値を求めるまでの処理を説明すると、第１ピント状態検出用撮像素子５０Ａと第２ピント状態検出用撮像素子５０Ｂは、いずれも白黒画像を撮影するＣＣＤであることから、各ピント状態検出用撮像素子５０Ａ、５０Ｂから出力されるビデオ信号は、それぞれの画面を構成する各画素の輝度を示す輝度信号である。
【００３８】
各ピント状態検出用撮像素子５０Ａ、５０Ｂから出力されたビデオ信号は、まず、ハイパスフィルタ７０Ａ、７０Ｂによって高域周波数成分が抽出され、Ａ／Ｄ変換器７２Ａ、７２Ｂによってデジタル信号に変換される。そして、このデジタル信号のうち所定のフォーカスエリア内の画素に対応するデジタル信号のみがゲート回路７４Ａ、７４Ｂによって抽出され、抽出された範囲のデジタル信号の値が加算器７６Ａ、７６Ｂによって加算される。これにより、フォーカスエリア内におけるビデオ信号の高域周波数成分の値の総和が求められ、この総和がフォーカスエリア内における画像の鮮鋭度の高低を示す焦点評価値となる。
【００３９】
なお、同図に示す同期信号発生回路７８からは、各ピント状態検出用撮像素子５０Ａ、５０Ｂやゲート回路７４Ａ、７４Ｂ等の各回路に各種同期信号が与えられており、各回路の処理の同期が図られている。また、同期信号発生回路７８からＣＰＵ８０には、ビデオ信号の１フィールドごとの垂直同期信号（Ｖ信号）が与えられている。
【００４０】
ＣＰＵ８０は、上記のように第１ピント状態検出用撮像素子５０Ａ及び第２ピント状態検出用撮像素子５０Ｂから得られた焦点評価値に基づいて、映像用撮像素子５４Ｒ、５４Ｇ、５４Ｂの受光面に対する撮影レンズ１４の現在のピント状態を検出する。
【００４１】
次に、第１ピント状態検出用撮像素子５０Ａ及び第２ピント状態検出用撮像素子５０Ｂから得られた焦点評価値に基づくピント状態の検出方法について説明する。
【００４２】
図６は、横軸に撮影レンズ１４のフォーカス位置、縦軸に焦点評価値をとり、ある被写体を撮影した際のフォーカス位置に対する焦点評価値の様子を示した図である。図中実線で示す曲線Ｃは映像用撮像素子から得られる焦点評価値をフォーカス位置に対して示したものであり、図中点線で示す曲線Ａ、Ｂは、それぞれ第１ピント状態検出用撮像素子５０Ａと第２ピント状態検出用撮像素子５０Ｂから得られる焦点評価値をフォーカス位置に対して示したものである。同図において、曲線Ｃの焦点評価値が最大（極大）となる位置Ｆ３が合焦位置である。
【００４３】
撮影レンズ１４のフォーカス位置がＦ１に設定された場合、第１ピント状態検出用撮像素子５０Ａから得られる焦点評価値ＶA １は曲線Ａの位置Ｆ１に対応する値となる。一方、第２ピント状態検出用撮像素子５０Ｂから得られる焦点評価値ＶB １は曲線Ｂの位置Ｆ１に対応する値となり、この値は第１ピント状態撮像素子５０Ａから得られる焦点評価値ＶA １よりも小さくなる。したがって、第１ピント状態検出用撮像素子５０Ａから得られる焦点評価値ＶA １の方が第２ピント状態検出用撮像素子５０Ｂから得られる焦点評価値ＶB １よりも大きい場合は、フォーカス位置が合焦位置よりも至近側に設定された状態、すなわち、前ピンの状態であることが分かる。
【００４４】
一方、撮影レンズ１４のフォーカス位置がＦ２に設定された場合、第１ピント状態検出用撮像素子５０Ａから得られる焦点評価値ＶA2は曲線Ａの位置Ｆ２に対応する値となり、第２ピント状態検出用撮像素子５０Ｂから得られる焦点評価値ＶB2は曲線Ｂの位置Ｆ２に対応する値となる。この場合、第１ピント状態検出用撮像素子５０Ａから得られる焦点評価値ＶA2は、第２ピント状態検出用撮像素子５０Ｂから得られる焦点評価値ＶB2よりも小さくなる。したがって、第１ピント状態検出用撮像素子５０Ａから得られる焦点評価値ＶA2が第２ピント状態検出用撮像素子５０Ｂから得られる焦点評価値ＶB2よりも小さい場合は、フォーカス位置が合焦位置よりも無限遠側に設定された状態、すなわち、後ピンの状態であることが分かる。
【００４５】
これに対して、撮影レンズ１４のフォーカス位置がＦ３、すなわち合焦位置に設定された場合、第１ピント状態検出用撮像素子５０Ａから得られる焦点評価値ＶA2は曲線Ａの位置Ｆ３に対応する値となり、第２ピント状態検出用撮像素子５０Ｂから得られる焦点評価値ＶB2は曲線Ｂの位置Ｆ３に対応する値となる。この場合、第１ピント状態検出用撮像素子５０Ａから得られる焦点評価値ＶA3と第２ピント状態検出用撮像素子５０Ｂから得られる焦点評価値ＶB3は互いに等しくなる。したがって、第１ピント状態検出用撮像素子５０Ａから得られる焦点評価値ＶA3と第２ピント状態検出用撮像素子５０Ｂから得られる焦点評価値ＶB3とが等しい場合はフォーカス位置が合焦位置（Ｆ３）に設定された状態であることが分かる。
【００４６】
このように、第１ピント状態検出用撮像素子５０Ａと第２ピント状態検出用撮像素子５０Ｂとから得られる焦点評価値ＶA 、ＶB が分かれば、これに基づいて撮影レンズ１４の現在のピント状態が前ピン、後ピン、合焦のいずれであるかを検出することができる。
【００４７】
ＣＰＵ８０は、この検出結果と現在のフォーカスレンズ３２の位置情報とに基づいてフォーカスレンズ３２を合焦位置に導くための移動速度又は移動量を演算し、Ｄ／Ａ変換器８２を介してドライブユニット２６にフォーカスモータの制御信号を与える。ドライブユニット２６は、この制御信号に基づいてフォーカスモータを駆動し、フォーカスレンズ３２を合焦位置に移動させる。
【００４８】
なお、フォーカスレンズ３２は、フォーカスレンズ位置検出器８４によって位置が検出されており、検出された位置情報はドライブユニット２６からＡ／Ｄ変換器８６を介してＣＰＵ８０に入力される。
【００４９】
前記のごとく構成された本実施の形態のテレビカメラシステム１０の作用は次のとおりである。
【００５０】
ＡＦ機能を使用しないで撮影する場合は、図１（ｂ）に示すように、撮影レンズ１４をカメラ本体１２に直接装着する。
【００５１】
一方、ＡＦ機能を使用して撮影する場合は、図１（ｃ）に示すように、撮影レンズ１４とカメラ本体１２との間にＡＦアダプタ１６を装着し、図示しないケーブルによってＡＦアダプタ１６とドライブユニット２６とを接続する。
【００５２】
このＡＦアダプタ１６が装着されると、撮影レンズ１４のアイリス３６は開放状態となって機能が停止する。そして、ＡＦアダプタ１６に設置された第２アイリス４６で絞り制御が行われるようになる。
【００５３】
また、このＡＦアダプタ１６が装着されると、内蔵する第１ピント状態検出用撮像素子５０Ａと第２ピント状態検出用撮像素子５０Ｂによって映像用撮像素子５４Ｒ、５４Ｇ、５４Ｂの前後位置における被写体像が撮像され、この第１ピント状態検出用撮像素子５０Ａと第２ピント状態検出用撮像素子５０Ｂに撮像された画像データに基づいて信号処理部６２で撮影レンズ１４のピント状態が検出される。そして、この検出結果に基づいて撮影レンズ１４がＡＦ制御される。
【００５４】
このように、本実施の形態のテレビカメラシステム１０によれば、ＡＦアダプタ１６を装着するだけで簡単に既存のカメラシステムにＡＦ機能を追加することができる。この際、本実施の形態のＡＦアダプタ１６にはリレー光学系が備えられているので、装着しても焦点位置のズレを起こすことはなく、非装着時と同じように撮影することができる。
【００５５】
また、本実施の形態のＡＦアダプタ１６には、ビームスプリッタ４２の後段位置に第２アイリス４６が備えられ、ＡＦアダプタ１６が装着されると、この第２アイリス４６で絞り制御が行われるため、焦点深度の影響を避けることができる。なお、第２アイリス４６を設置せず、通常どおりに撮影レンズ１４に設けられたアイリス３６で絞り制御を行うようにしてもよい。
【００５６】
さらに、本実施の形態のＡＦアダプタ１６では、一対のピント状態検出用撮像素子５０Ａ、５０Ｂによって撮像される画像に基づいてピント状態を検出するようにしているので、３つのピント状態検出用撮像素子を用いてピント状態を検出する場合に比べてより多くの被写体光を映像用被写体光に使うことができる。
【００５７】
なお、本実施の形態では、ビームスプリッタ４２を用いて映像用被写体光とピント状態検出用被写体光を２対１の光量比で分割するようにしているが、光量の分割比は、これに限定されるものではない。たとえば映像用被写体光とピント状態検出用被写体光を１対２の光量比で分割し、各ピント状態撮像素子５０Ａ、５０Ｂに全被写体光の３分の１ずつ受光させるようにしてもよい。
【００５８】
また、本実施の形態では、ビームスプリッタ４２が、カメラ本体１２に設置された色分解プリズム５２と同じ形状で形成されているが、ビームスプリッタの形状は、これに限定されるものではなく、たとえば図７に示すように構成してもよい。このビームスプリッタ４２´は、３つのプリズム９０、９２、９４で構成され、撮影レンズ１４の後端から出射された被写体光は、まず、第１プリズム９０に入射される。そして、この第１プリズム９０のハーフミラー面９０Ａで反射光と透過光とに分割される。このうち反射光は第１のピント状態検出用被写体光として第１ピント状態検出用撮像素子５０Ａに入射され、透過光は第２プリズム９２に入射される。第２プリズム９２に入射した透過光は、その第２プリズム９２のハーフミラー面９２Ａで更に反射光と透過光とに分割される。このうち反射光は第２のピント状態検出用被写体光として第２ピント状態検出用撮像素子５０Ｂに入射され、透過光は第３プリズム９４に入射される。そして、この第３プリズム９４に入射した透過光が映像用被写体光として第１リレーレンズ４４に入射される。この場合、第２ピント状態検出用撮像素子５０Ｂに結像する像は、１回反射のため反転してしまうが、信号処理部６２内で反転処理を行えば問題ない。
【００５９】
なお、上記実施の形態では、本発明に係るＡＦアダプタ１６をテレビカメラシステムに適用した場合について説明したが、本発明はカメラ本体と交換可能な撮影レンズとから構成される全てのタイプのカメラシステムに適用できる。
【００６０】
【発明の効果】
以上説明したように本発明に係るオートフォーカスアダプタによれば、既存のオートフォーカス機能がないカメラシステムであっても、本発明に係るオートフォーカスアダプタを装着するだけで、簡単にオートフォーカス機能を提供することができる。この際、本発明に係るオートフォーカスアダプタにはリレー光学系が備えられているので、装着しても焦点位置のズレを起こすことはなく、非装着時と同じように撮影することができる。
【図面の簡単な説明】
【図１】本発明に係るオートフォーカスアダプタが組み込まれたテレビカメラシステムの構成図
【図２】本実施の形態のテレビカメラシステムにおける光学系の構成図
【図３】ＡＦアダプタの内部構造を示すブロック図
【図４】第１結像面の被写体光の光軸と第１ピント状態検出用撮像素子及び第２ピント状態検出用撮像素子の受光面に入射する被写体光の光軸を同一直線上に示した図
【図５】信号処理部の構成を示すブロック図
【図６】横軸に撮影レンズのフォーカス位置、縦軸に焦点評価値をとり、ある被写体を撮影した際のフォーカス位置に対する焦点評価値の様子を示した図
【図７】ビームスプリッタの他の実施の形態の構成を示す図
【符号の説明】
１０…テレビカメラシステム、１２…カメラ本体、１４…撮影レンズ、１６…オートフォーカスアダプタ（ＡＦアダプタ）、１８…レンズ側マウント、２０…カメラ側マウント、２２…後側マウント、２４…前側マウント、２６…ドライブユニット、３０…レンズ鏡筒、３２…フォーカスレンズ、３４…ズームレンズ、３６…アイリス、３８…リレーレンズ、４０…ケース、４２…ビームスプリッタ、４４…第１リレーレンズ、４６…第２アイリス、４８…第２リレーレンズ、５０Ａ…第１ピント状態検出用撮像素子、５０Ｂ…第２ピント状態検出用撮像素子、５２…色分解プリズム、５４Ｒ、５４Ｇ、５４Ｂ…映像用撮像素子、５６…第１プリズム、５６Ａ…ハーフミラー面、５８…第２プリズム、５８Ａ…ハーフミラー面、６０…第３プリズム、６２…信号処理部、７０Ａ、７０Ｂ…ハイパスフィルタ、７２Ａ、７２Ｂ…Ａ／Ｄ変換器、７４Ａ、７４Ｂ…ゲート回路、７６Ａ、７６Ｂ…加算器、８０…ＣＰＵ、８２…Ｄ／Ａ変換器、８４…フォーカスレンズ位置検出器、８６…Ａ／Ｄ変換器、９０…第１プリズム、９０Ａ…ハーフミラー面、９２…第２プリズム、９２Ａ…ハーフミラー面、９４…第３プリズム、Ｐ１…第１結像面、Ｐ2 …第２結像面
【図１】
0003975395.tif 000002
【図２】
0003975395.tif 000003
【図３】
0003975395.tif 000004
【図４】
0003975395.tif 000005
【図５】
0003975395.tif 000006
【図６】
0003975395.tif 000007
【図７】
0003975395.tif 000008